(57)【要約】【課題】自転車用子供椅子に取り付けられて自転車１０２の揺れからも子供１１４を守るのみならず、降雨からも子供１１４を守るうたたねあんしん枕を提供することを目的とする。【解決手段】筒状の構造を有する保護クッション２を、自転車用子供椅子１０６の周囲に沿って、取り付け手段であるボタンと粘着テープで取り付ける。この保護クッション２の筒状の内部に、合羽１０を、裾１４がボタン１５などで固定された状態で、長手方向に沿って畳んで収める。クッション２の筒状の長手方向に沿って、筒状の内部を開閉できるファスナー１６を設ける。この椅子に着座した子供１１４の出した足１１６に被せる足元カバー２４を、別体として備える。【選択図】図１
2004175326.tif 000002
【特許請求の範囲】
【請求項１】
自転車用子供椅子の周囲に沿って配置されるための筒状の構造を有し、子供がうたたねをしたときの枕を兼ねるクッションと、このクッションの筒状の内部に裾が固定された状態で、長手方向に沿って畳んで収められた合羽と、前記クッションの筒状の長手方向に沿って、筒状の内部を開閉できるファスナー又はボタンと、筒状の外周面に設けられ自転車用子供椅子に取り付けるための取り付け手段と、を有してなることを特徴とするうたたねあんしん枕
。
【請求項２】
前記自転車用子供椅子は、自転車のハンドル部分に取り付けられる箱型の椅子で、この椅子に着座した子供の足が自転車の前方へ向かって露出する構造を有し、この露出した足に被せる足元カバーが、別体として備えられていることを特徴とする請求項１に記載のうたたねあんしん枕  。
【発明の詳細な説明】
【０００１】
【発明の属する技術分野】
この発明は、自転車に取り付けて子供を座らせるための子供椅子の構造に関する。
【０００２】
【従来の技術】
従来、自転車の荷台部分やハンドル部分に子供椅子を取り付け、子供を安定して座らせる自転車用子供椅子が市販されている。たとえば、図４、図５に示すように、自転車１０２の深く大きくＵ字状に湾曲したハンドル部１０４に、専用の子供椅子１０６を取り付ける。図６に示すようにこの従来例の子供椅子１０６は、概略箱型を有し、側面には、ハンドル部１０４のＵ字の内側左右に嵌合するための嵌合溝１０８が形成され、前方の縁部には水平に取っ手１１０が設けられる。また、前方の下方は開口１１２し、子供椅子１０６に着座する子供１１４の足１１６が前方へ露出する構造を有し、この足１１６を乗せるための足座１１８が備えられる。
【０００３】
また、この自転車用子供椅子の周囲に安全クッションを設け、自転車１０２が揺れた場合などに子供１１４の体や頭が椅子の周囲縁にぶつからないようにすることも提案されている（特開平８−２３０７３６、特開平８−１７５４４６）。
【０００４】
【発明が解決しようとする課題】
しかしながら、以上のような従来の自転車子供椅子の安全クッションは、揺れに対する安全性は考慮されているが、雨が降ったとき子供１１４の体がぬれることに対する考慮はなされていなかった。
この発明は、以上の課題を解決するためになされたもので、自転車用子供椅子に取り付けられて自転車１０２の揺れからも子供１１４を守るのみならず、降雨からも子供１１４を守るうたたねあんしん枕を提供することを目的とする。
【０００５】
【課題を解決するための手段】
以上の課題を解決するために、第一の発明は、自転車用子供椅子の周囲に沿って配置されるための筒状の構造を有し、子供がうたたねをしたときの枕を兼ねるクッションと、このクッションの筒状の内部に裾が固定された状態で、長手方向に沿って畳んで収められた合羽と、前記クッションの筒状の長手方向に沿って、筒状の内部を開閉できるファスナーと、筒状の外周面に設けられ自転車用子供椅子に取り付けるための取り付け手段と、を有してなることを特徴とするうたたねあんしん枕である。
第二の発明は、前記車用子供椅子は、自転車のハンドル部分に取り付けられる箱型の椅子で、この椅子に着座した子供の足が自転車の前方へ向かって露出する構造を有し、この露出した足に被せる足元カバーが、別体として備えられていることを特徴とするうたたねあんしん枕である。
【０００６】
【発明の実施の形態】
この発明の実施の形態を、図１から図３に示す。
この実施形態のうたたねあんしん枕１は、従来技術（図４から図６）の自転車用子供椅子１０６に対して設けられる保護クッション２である。
この保護クッション２の全長は、箱型の自転車用子供椅子１０６の略四角形状の周囲縁に沿って、コの字状に配置されるために十分なものとする。内部は筒状の構造を有する。すなわち、厚みのある円筒状のスポンジ４が、断面において円形の一部が切り欠かかれている。切り欠かれたスポンジ４の内周面と外周面は、防水性のソフトビニール６で覆われる。
【０００７】
そして、この保護クッション２の筒状の内部８に、合羽１０が畳んで収められる。合羽１０の前面は、子供１１４の首の部分から裾の部分にかけて図示しないファスナーとボタン１２により、開閉できる。合羽１０の頭の部分には帽子状の鍔１３が設けられる。合羽１０の裾１４は、保護クッション２の内部８の内周面にボタン１５で固定される。すなわち、内部８のソフトビニール６の延長部分６Ａに対し雄雌の一方のボタン（図示せず）が設けられ、裾１４に設けられた他方のボタン１５と嵌合する。また、保護クッション２の筒状の長手方向に沿ってファスナー１６が設けられ、筒状の内部８を開閉できる。
【０００８】
筒状の外周面には、自転車用子供椅子１０６に取り付けるための取り付け手段として、雄雌の一方のボタン１７Ａが取り付けられ、他方のボタン１７Ｂを有するピース１８が粘着テープ１９により、子供椅子３の内周面の上縁に貼り付けられる。また、保護クッション２の両端には、ソフトビニール６により二股部２０が形成され、この二股部２０の各先端に雄雌のボタン２１Ａ、２１Ｂが取り付けられ、これにより、取っ手１１０に取り付けられる。また、保護クッション２の長手方向のうち、ハンドル部分１０４に位置する部分にも、別の二股部２０が形成され、同様に二股部２０の各先端に雄雌のボタン２１Ａ、２１Ｂが取り付けられ、これにより、ハンドル部分１０４に取り付けられる。
【０００９】
また、自転車１０２の前方へ向かって露出した足１１６に被せる足元カバー２４が、別体として備えられている。この足元カバー２４は、袋状をなし、袋の縁２６は二重になっていてゴムが入り、足１１６に被せたときに隙間ができにくい。また、縁２６の一部は伸縮可能なバンド２８が設けられ、バンド２８と縁２６には雄雌のボタン３０Ａ、３０Ｂが設けられ、開口縁３２の大きさが調整できる。
【００１０】
（実施形態の作用効果）
このあんしんうたたね枕１は、子供１１４がうたたねをしたときには、子供１１４の上半身や頭を支える枕の機能を果たすことができる。また、雨が降ったときには保護クッション２のファスナー１６を開けて、クッションの長手方向に沿って畳んで収められていた合羽１０を拡げ、子供１１４に被せることができるので、子供１１４を降雨から守ることができる。また、畳んだ状態の合羽１０は、クッションを内側から支え、クッションの機能を高める。また、露出した足１１６に足座１１８ごと足元カバー２４を被せることで、足１１６が雨にぬれるのを防げる。
（他の実施形態）
以上の実施形態では、筒状の内部の開閉はファスナーによるものであったが、他の実施形態では、雄雌のボタンを複数組、長手方向に配置するものとしてもよい。
以上の実施形態では、クッションは円筒状であったが、他の実施形態では、楕円筒状や四角筒状、多角筒状であってもよい。
以上の実施形態では、合羽の裾はクッションの内部にボタンで固定されたが、他の実施形態では、縫い付けられていてもよい。
以上の実施形態では、取り付け手段は雄雌のボタンと粘着テープであったが、他の実施形態では、粘着テープのみでもよい。あるいは、クッションの外周にフックを付け、このフックを受ける受け具を子供椅子に設けてもよい。
以上の実施形態では、子供椅子はハンドル部分に取り付けられるものであったが、他の実施形態では、荷台部分などの自転車後方に取り付けるものでもよい。
【００１１】
【発明の効果】
以上説明したように、第一又は第二の発明によれば、雨が降ったときにはクッションのファスナーを開けて、クッションの長手方向に沿って畳んで収められていた合羽を拡げ子供に被せることができるので、子供を降雨から守ることができる。また、畳んだ状態の合羽は、クッションを内側から支え、クッションの機能を高める。
【００１２】
また、第二の発明によれば、さらに、露出した足に足元カバーを被せることで、足が雨にぬれるのを防げる。
【図面の簡単な説明】
【図１】（Ａ）は、この発明の実施形態を示す側面図
（Ｂ）は、（Ａ）の合羽の正面図
（Ｃ）は、（Ａ）の足元間バーの斜視図である。
【図２】図１（Ａ）の子供椅子の拡大斜視図である。
【図３】（Ａ）は、図２のうたたねあんしん枕の拡大斜視図
（Ｂ）は、（Ａ）の合羽を畳んだ状態の断面図
（Ｃ）は、（Ａ）の合羽を拡げた状態の断面図である。
【図４】従来例を示す自転車用子供椅子の全体側面図である。
【図５】図４の斜視図である。
【図６】図５の子供椅子の拡大斜視図である。
【符号の説明】
２      保護クッション
４      スポンジ
６      ソフトビニール
８      内部
１０      合羽
１２      ボタン
１４      裾
１６      ファスナー
１８      ピース
２０      二股部
２４      足元カバー
２６      縁
１０２      自転車
１０４      ハンドル部
１０６      子供椅子
１０８      嵌合溝
１１０      取っ手
１１２      開口
１１４      子供
１１６      足
１１８      足座
【図１】
2004175326.tif 000003
【図２】
2004175326.tif 000004
【図３】
2004175326.tif 000005
【図４】
2004175326.tif 000006
【図５】
2004175326.tif 000007
【図６】
2004175326.tif 000008